(57)【要約】【課題】  磁力を用いることなく容易且つ確実に取り付け可能であると共に、取り外しも容易な前掛眼鏡フレームを提供する。【解決手段】  前掛眼鏡フレーム１を構成するブリッジ部１１は、凹溝１１１ａが後面に形成されたブリッジ部本体１１１と、凹溝の端から後方に向けて延設され、可撓性部材からなる第１及び第２の係止部１１２、１１３を備える。第１及び第２の係止部は、後端部の左右方向両端部にそれぞれ凸部１１２ａ、１１３ａを具備する。第１及び第２の係止部に付勢力が作用していない状態において、第１及び第２の係止部の後端部の左右方向両端部における上下方向の間隔Ｈ１が眼鏡フレームのブリッジ部の上下方向の厚みＨよりも小さく設定されている一方、第１及び第２の係止部の後端部の左右方向中央部における上下方向の間隔Ｈ２は厚みＨと略同等に設定されている。【選択図】  図２
0003116935.tif 000002
【実用新案登録請求の範囲】
【請求項１】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応し、当該ブリッジ部前面が嵌め込まれる凹溝が後面に形成されたブリッジ部本体と、
前記ブリッジ部本体の前記凹溝の上端から後方に向けて延設された第１の係止部と、
前記第１の係止部と略同等の長さを有し、前記ブリッジ部本体の前記凹溝の下端から後方に向けて延設された第２の係止部とを備え、
前記第１の係止部及び前記第２の係止部の少なくとも何れか一方は、上下方向に撓むことが可能な可撓性部材からなり、
前記第１の係止部は後端部の左右方向両端部に下方向に突出する凸部を具備し、及び／又は、前記第２の係止部は後端部の左右方向両端部に上方向に突出する凸部を具備し、
前記第１の係止部及び前記第２の係止部に付勢力が作用していない状態において、前記第１の係止部の後端部と前記第２の係止部の後端部との左右方向両端部における上下方向の間隔が、前記眼鏡フレームのブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記眼鏡フレームのブリッジ部の上下方向の厚みと略同等に設定されており、なお且つ、前記第１の係止部の前端部又は前記第２の係止部の前端部の長さと前記凹溝の深さとの和が、前記眼鏡フレームのブリッジ部の前後方向の厚みと略同等に設定されていることを特徴とする前掛眼鏡フレーム。
【請求項２】
テンプルを具備する眼鏡フレームの前面に重ね合わせて着脱自在に取り付けられるテンプルを具備しない前掛眼鏡フレームであって、
前記前掛眼鏡フレームを構成するブリッジ部は、
前記眼鏡フレームのブリッジ部前面の形状に対応し、当該ブリッジ部前面が嵌め込まれる凹溝が後面に形成されたブリッジ部本体と、
前記ブリッジ部本体の前記凹溝の上端から後方に向けて延設された第１の係止部と、
前記第１の係止部と略同等の長さを有し、前記ブリッジ部本体の前記凹溝の下端から後方に向けて延設された第２の係止部とを備え、
前記第１の係止部及び前記第２の係止部の少なくとも何れか一方は、上下方向に撓むことが可能な可撓性部材からなり、
前記第１の係止部は後端部の左右方向両端部の内何れか一方の端部に下方向に突出する第１の凸部を具備すると共に、前記第２の係止部は後端部の左右方向両端部の内何れか他方の端部に上方向に突出する第２の凸部を具備し、
前記第１の係止部及び前記第２の係止部に付勢力が作用していない状態において、前記第１の係止部の後端部と前記第２の係止部の後端部との左右方向両端部における上下方向の間隔が、前記眼鏡フレームのブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記眼鏡フレームのブリッジ部の上下方向の厚みと略同等に設定されており、なお且つ、前記第１の係止部の前端部又は前記第２の係止部の前端部の長さと前記凹溝の深さとの和が、前記眼鏡フレームのブリッジ部の前後方向の厚みと略同等に設定されていることを特徴とする前掛眼鏡フレーム。
【請求項３】
前記前掛眼鏡フレームの左右方向両端部の後面に、前記眼鏡フレームの左右方向両端部の前面の形状に対応する凹溝が設けられていることを特徴とする請求項１又は２に記載の前掛眼鏡フレーム。
【請求項４】
請求項１から３の何れかに記載の前掛眼鏡フレームと、前記眼鏡フレームとを備えることを特徴とする眼鏡セット。
【考案の詳細な説明】
【技術分野】
【０００１】
本考案は、テンプルを具備する眼鏡フレームの前面に重ね合わせて着脱自在に取り付けられるテンプルを具備しない前掛眼鏡フレーム及びこれを用いた眼鏡セットに関し、特に磁力を用いることなく容易且つ確実に取り付け可能であると共に、取り外しも容易な前掛眼鏡フレーム及びこれを用いた眼鏡セットに関する。
【背景技術】
【０００２】
従来、テンプルを具備する眼鏡フレームの前面に、テンプルを具備しない前掛眼鏡フレームを着脱自在に取り付ける眼鏡セットとして、例えば、特許文献１に記載の構成が提案されている。より具体的に説明すれば、特許文献１に記載の眼鏡セット（特許文献１では「眼鏡」と称している）は、眼鏡フレーム（特許文献１では「メインフレーム」と称している）のブリッジ部（特許文献１では「ブリッジコネクタ」と称している）の上面が前掛眼鏡フレーム（特許文献１では「付属フレーム」と称している）のブリッジ部を支持し、眼鏡フレームのブリッジ部の上面と前掛眼鏡フレームのブリッジ部とが磁着することにより、前掛眼鏡フレームが眼鏡フレームに対して着脱自在に取り付けられる構成とされている。
【０００３】
従来提案されているこの種の眼鏡セットのうち実用化されているものは、比較的強固に取り付け可能であるという点より、特許文献１に記載の構成のように、前掛眼鏡フレームを眼鏡フレームに磁着する構成、すなわち、磁力を利用して前掛眼鏡フレームを眼鏡フレームに取り付ける構成とされたものが大半である。
【０００４】
しかしながら、磁力を生じさせるためには、眼鏡フレーム及び前掛眼鏡フレームの双方或いは何れか一方に磁石を取り付ける或いは所定の部材（例えばブリッジ部等）を磁石で形成する必要がある。また、眼鏡フレーム及び前掛眼鏡フレームの双方に磁石を取り付けるのではなく、何れか一方に磁石を取り付ける場合であっても、眼鏡フレーム及び前掛眼鏡フレームの何れか他方の前記磁石と対向する部位に磁性体（ステンレス等）を取り付けるか、或いは、前記磁石と対向する部位に設けられた部材（例えばブリッジ部等）を磁性体で形成する必要がある。
【０００５】
従って、何れにせよ、眼鏡フレームに磁石或いは磁性体を取り付ける（所定の部材を磁石或いは磁性体で形成する場合を含む）という制約が生ずることから、使用者が常時使用している眼鏡フレームの種類によっては、この種の磁力を利用した前掛眼鏡フレームを取り付けられない場合があり、その結果、使用者は眼鏡セット全体を新たに購入（すなわち、眼鏡フレームと前掛眼鏡フレームとを対として購入）しなければならないという問題がある。また、眼鏡フレーム及び前掛眼鏡フレームの双方或いは何れか一方に磁石を取り付ける必要があることから、製造コストが高騰するという問題もある。
【特許文献１】特許第３３５５１２０号公報
【考案の開示】
【考案が解決しようとする課題】
【０００６】
本考案は、斯かる従来技術の問題点を解決するべくなされたものであり、磁力を用いることなく容易且つ確実に取り付け可能であると共に、取り外しも容易な前掛眼鏡フレーム及びこれを用いた眼鏡セットを提供することを課題とする。
【課題を解決するための手段】
【０００７】
前記課題を解決するべく、本考案は、実用新案登録請求の範囲の請求項１に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応し、当該ブリッジ部前面が嵌め込まれる凹溝が後面に形成されたブリッジ部本体と、前記ブリッジ部本体の前記凹溝の上端から後方に向けて延設された第１の係止部と、前記第１の係止部と略同等の長さを有し、前記ブリッジ部本体の前記凹溝の下端から後方に向けて延設された第２の係止部とを備え、前記第１の係止部及び前記第２の係止部の少なくとも何れか一方は、上下方向に撓むことが可能な可撓性部材からなり、前記第１の係止部は後端部の左右方向両端部に下方向に突出する凸部を具備し、及び／又は、前記第２の係止部は後端部の左右方向両端部に上方向に突出する凸部を具備し、前記第１の係止部及び前記第２の係止部に付勢力が作用していない状態において、前記第１の係止部の後端部と前記第２の係止部の後端部との左右方向両端部における上下方向の間隔が、前記眼鏡フレームのブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記眼鏡フレームのブリッジ部の上下方向の厚みと略同等に設定されており、なお且つ、前記第１の係止部の前端部又は前記第２の係止部の前端部の長さと前記凹溝の深さとの和が、前記眼鏡フレームのブリッジ部の前後方向の厚みと略同等に設定されていることを特徴とする前掛眼鏡フレームを提供するものである。
【０００８】
本考案に係る前掛眼鏡フレームにおいては、前掛眼鏡フレームを構成するブリッジ部が、眼鏡フレームのブリッジ部前面の形状に対応し、当該ブリッジ部前面が嵌め込まれる凹溝が後面に形成されたブリッジ部本体と、ブリッジ部本体の凹溝の上端から後方に向けて延設された第１の係止部と、第１の係止部と略同等の長さを有し、ブリッジ部本体の凹溝の下端から後方に向けて延設された第２の係止部とを備え、第１の係止部及び第２の係止部の少なくとも何れか一方が、上下方向に撓むことが可能な可撓性部材から構成されている。そして、第１の係止部及び第２の係止部に付勢力が作用していない状態において、第１の係止部の前端部と第２の係止部の前端部との上下方向の間隔及び第１の係止部の後端部と第２の係止部の後端部との左右方向中央部における上下方向の間隔が、眼鏡フレームのブリッジ部の上下方向の厚みと略同等に設定されており、なお且つ、第１の係止部の前端部又は第２の係止部の前端部の長さ（すなわち、第１の係止部と第２の係止部との上下方向の間隔が眼鏡フレームのブリッジ部の上下方向の厚みと略同等に設定されている第１の係止部又は第２の係止部の前端部の長さ）と凹溝の深さとの和が、眼鏡フレームのブリッジ部の前後方向の厚みと略同等に設定されている。従って、前掛眼鏡フレームを眼鏡フレームに取り付けた状態においては、眼鏡フレームのブリッジ部前面が前掛眼鏡フレームのブリッジ部本体の凹溝に嵌め込まれ、眼鏡フレームのブリッジ部上下面が第１の係止部と第２の係止部との間で挟持されることになる。従って、前掛眼鏡フレームのブリッジ部の上下方向及び後方への動きが、眼鏡フレームのブリッジ部によって規制されることになり、前掛眼鏡フレームを眼鏡フレームに確実に取り付けることが可能である。
【０００９】
また、第１の係止部は後端部の左右方向両端部に下方向に突出する凸部を具備し、及び／又は、第２の係止部は後端部の左右方向両端部に上方向に突出する凸部を具備する。そして、第１の係止部及び第２の係止部に付勢力が作用していない状態において、第１の係止部の後端部と第２の係止部の後端部との左右方向両端部における上下方向の間隔（すなわち、第１の係止部にのみ凸部が設けられている場合には、第１の係止部の凸部と第２の係止部との上下方向の間隔。第２の係止部にのみ凸部が設けられている場合には、第１の係止部と第２の係止部の凸部との上下方向の間隔。第１の係止部及び第２の係止部の双方に凸部が設けられている場合には、第１の係止部の凸部と第２の係止部の凸部との上下方向の間隔）が、眼鏡フレームのブリッジ部の上下方向の厚みよりも小さく設定されている。従って、前掛眼鏡フレームを眼鏡フレームに取り付ける際には、前掛眼鏡フレームの第１の係止部と第２の係止部との隙間を眼鏡フレームのブリッジ部の前方に配設した後、前掛眼鏡フレームを後方へ移動させるか、或いは、眼鏡フレームを前方へ移動させれば良い。これにより、眼鏡フレームのブリッジ部が前掛眼鏡フレームの第１の係止部の凸部、若しくは第２の係止部の凸部、或いは第１の係止部及び第２の係止部の凸部に当接し、第１の係止部の後端部が上方に向けて付勢されて撓むか、若しくは第２の係止部の後端部が下方に向けて付勢されて撓むか、或いは第１の係止部及び第２の係止部の双方の後端部が撓むため、第１の係止部の後端部と第２の係止部の後端部との上下方向の間隔が拡がり、当該間隔を有する隙間を眼鏡フレームのブリッジ部が通過することになる。そして、眼鏡フレームのブリッジ部が前記隙間を通過した後には、第１の係止部若しくは第２の係止部或いはその双方が元の状態（付勢力が作用していない状態）に戻り、第１の係止部の後端部と第２の係止部の後端部との左右方向両端部における上下方向の間隔が眼鏡フレームのブリッジ部の上下方向の厚みよりも小さくなるため、当該間隔を有する隙間から眼鏡フレームのブリッジ部が抜け難くなる。
【００１０】
一方、前掛眼鏡フレームを眼鏡フレームから取り外す際には、前掛眼鏡フレームを前方へ移動させるか、或いは、眼鏡フレームを後方へ移動させることにより、眼鏡フレームのブリッジ部前面が前掛眼鏡フレームのブリッジ部本体の凹溝から抜けると共に、眼鏡フレームのブリッジ部が前掛眼鏡フレームの第１の係止部の凸部、若しくは第２の係止部の凸部、或いは第１の係止部及び第２の係止部の凸部に当接し、第１の係止部の後端部が上方に向けて付勢されて撓むか、若しくは第２の係止部の後端部が下方に向けて付勢されて撓むか、或いは第１の係止部及び第２の係止部の双方の後端部が撓むため、第１の係止部の後端部と第２の係止部の後端部との上下方向の間隔が拡がり、当該間隔を有する隙間から眼鏡フレームのブリッジ部が抜けることになる。
【００１１】
そして、本考案に係る前掛眼鏡フレームにおいては、第１の係止部及び第２の係止部に付勢力が作用していない状態において、第１の係止部の後端部と第２の係止部の後端部との左右方向全長に亘って、その上下方向の間隔が眼鏡フレームのブリッジ部の上下方向の厚みよりも小さく設定されているのではなく、その一部（左右方向両端部）の上下方向の間隔のみがブリッジ部の上下方向の厚みよりも小さく設定されている。すなわち、第１の係止部の凸部が左右方向の両端部にのみ、若しくは第２の係止部の凸部が左右方向の両端部にのみ、或いは第１の係止部及び第２の係止部の凸部がそれぞれ左右方向両端部にのみ設けられているため、第１の係止部及び／又は第２の係止部の左右方向全長に亘って凸部を設ける構成を採用する場合に比べて、前掛眼鏡フレームを着脱する際における眼鏡フレームのブリッジ部が当接する凸部の領域が少なくなり、凸部の接触抵抗が小さくなる結果、着脱が容易となる。
【００１２】
以上のように、本考案に係る前掛眼鏡フレームは、磁力を用いることなく眼鏡フレームに容易且つ確実に取り付け可能であると共に、取り外しも容易であるという優れた利点を有する。
【００１３】
また、前記課題を解決するべく、本考案は、実用新案登録請求の範囲の請求項２に記載の如く、テンプルを具備する眼鏡フレームの前面に重ね合わせて着脱自在に取り付けられるテンプルを具備しない前掛眼鏡フレームであって、前記前掛眼鏡フレームを構成するブリッジ部は、前記眼鏡フレームのブリッジ部前面の形状に対応し、当該ブリッジ部前面が嵌め込まれる凹溝が後面に形成されたブリッジ部本体と、前記ブリッジ部本体の前記凹溝の上端から後方に向けて延設された第１の係止部と、前記第１の係止部と略同等の長さを有し、前記ブリッジ部本体の前記凹溝の下端から後方に向けて延設された第２の係止部とを備え、前記第１の係止部及び前記第２の係止部の少なくとも何れか一方は、上下方向に撓むことが可能な可撓性部材からなり、前記第１の係止部は後端部の左右方向両端部の内何れか一方の端部に下方向に突出する第１の凸部を具備すると共に、前記第２の係止部は後端部の左右方向両端部の内何れか他方の端部に上方向に突出する第２の凸部を具備し、前記第１の係止部及び前記第２の係止部に付勢力が作用していない状態において、前記第１の係止部の後端部と前記第２の係止部の後端部との左右方向両端部における上下方向の間隔が、前記眼鏡フレームのブリッジ部の上下方向の厚みよりも小さく設定されている一方、前記第１の係止部の前端部と前記第２の係止部の前端部との上下方向の間隔及び前記第１の係止部の後端部と前記第２の係止部の後端部との左右方向中央部における上下方向の間隔は、前記眼鏡フレームのブリッジ部の上下方向の厚みと略同等に設定されており、なお且つ、前記第１の係止部の前端部又は前記第２の係止部の前端部の長さと前記凹溝の深さとの和が、前記眼鏡フレームのブリッジ部の前後方向の厚みと略同等に設定されていることを特徴とする前掛眼鏡フレームとしても提供される。
【００１４】
本考案に係る前掛眼鏡フレームにおいても、前掛眼鏡フレームを構成するブリッジ部が、眼鏡フレームのブリッジ部前面の形状に対応し、当該ブリッジ部前面が嵌め込まれる凹溝が後面に形成されたブリッジ部本体と、ブリッジ部本体の凹溝の上端から後方に向けて延設された第１の係止部と、第１の係止部と略同等の長さを有し、ブリッジ部本体の凹溝の下端から後方に向けて延設された第２の係止部とを備え、第１の係止部及び第２の係止部の少なくとも何れか一方が、上下方向に撓むことが可能な可撓性部材から構成されている。そして、第１の係止部及び第２の係止部に付勢力が作用していない状態において、第１の係止部の前端部と第２の係止部の前端部との上下方向の間隔及び第１の係止部の後端部と第２の係止部の後端部との左右方向中央部における上下方向の間隔が、眼鏡フレームのブリッジ部の上下方向の厚みと略同等に設定されており、なお且つ、第１の係止部の前端部又は第２の係止部の前端部の長さ（すなわち、第１の係止部と第２の係止部との上下方向の間隔が眼鏡フレームのブリッジ部の上下方向の厚みと略同等に設定されている第１の係止部又は第２の係止部の前端部の長さ）と凹溝の深さとの和が、眼鏡フレームのブリッジ部の前後方向の厚みと略同等に設定されている。従って、前掛眼鏡フレームを眼鏡フレームに取り付けた状態においては、眼鏡フレームのブリッジ部前面が前掛眼鏡フレームのブリッジ部本体の凹溝に嵌め込まれ、眼鏡フレームのブリッジ部上下面が第１の係止部と第２の係止部との間で挟持されることになる。従って、前掛眼鏡フレームのブリッジ部の上下方向及び後方への動きが、眼鏡フレームのブリッジ部によって規制されることになり、前掛眼鏡フレームを眼鏡フレームに確実に取り付けることが可能である。
【００１５】
また、第１の係止部は後端部の左右方向両端部の内何れか一方の端部に下方向に突出する第１の凸部を具備すると共に、第２の係止部は後端部の左右方向両端部の内何れか他方の端部（第１の凸部が設けられた端部とは左右方向に反対側に位置する端部）に上方向に突出する第２の凸部を具備する。そして、第１の係止部及び第２の係止部に付勢力が作用していない状態において、第１の係止部の後端部と第２の係止部の後端部との左右方向両端部における上下方向の間隔が、眼鏡フレームのブリッジ部の上下方向の厚みよりも小さく設定されている。従って、前掛眼鏡フレームを眼鏡フレームに取り付ける際には、前掛眼鏡フレームの第１の係止部と第２の係止部との隙間を眼鏡フレームのブリッジ部の前方に配設した後、前掛眼鏡フレームを後方へ移動させるか、或いは、眼鏡フレームを前方へ移動させれば良い。これにより、眼鏡フレームのブリッジ部が前掛眼鏡フレームの第１の凸部及び第２の凸部に当接し、第１の係止部の後端部が上方に向けて付勢されて撓むか、若しくは第２の係止部の後端部が下方に向けて付勢されて撓むか、或いは第１の係止部及び第２の係止部の双方の後端部が撓むため、第１の係止部の後端部と第２の係止部の後端部との上下方向の間隔が拡がり、当該間隔を有する隙間を眼鏡フレームのブリッジ部が通過することになる。そして、眼鏡フレームのブリッジ部が前記隙間を通過した後には、第１の係止部若しくは第２の係止部或いはその双方が元の状態（付勢力が作用していない状態）に戻り、第１の係止部の後端部と第２の係止部の後端部との左右方向両端部における上下方向の間隔が眼鏡フレームのブリッジ部の上下方向の厚みよりも小さくなるため、当該間隔を有する隙間から眼鏡フレームのブリッジ部が抜け難くなる。
【００１６】
一方、前掛眼鏡フレームを眼鏡フレームから取り外す際には、前掛眼鏡フレームを前方へ移動させるか、或いは、眼鏡フレームを後方へ移動させることにより、眼鏡フレームのブリッジ部前面が前掛眼鏡フレームのブリッジ部本体の凹溝から抜けると共に、眼鏡フレームのブリッジ部が前掛眼鏡フレームの第１の凸部及び第２の凸部に当接し、第１の係止部の後端部が上方に向けて付勢されて撓むか、若しくは第２の係止部の後端部が下方に向けて付勢されて撓むか、或いは第１の係止部及び第２の係止部の双方の後端部が撓むため、第１の係止部の後端部と第２の係止部の後端部との上下方向の間隔が拡がり、当該間隔を有する隙間から眼鏡フレームのブリッジ部が抜けることになる。
【００１７】
そして、本考案に係る前掛眼鏡フレームにおいては、第１の係止部及び第２の係止部に付勢力が作用していない状態において、第１の係止部の後端部と第２の係止部の後端部との左右方向全長に亘って、その上下方向の間隔が眼鏡フレームのブリッジ部の上下方向の厚みよりも小さく設定されているのではなく、その一部（左右方向両端部）の上下方向の間隔のみがブリッジ部の上下方向の厚みよりも小さく設定されている。すなわち、第１の係止部の第１の凸部が左右方向の一方の端部にのみ設けられ、第２の係止部の第２の凸部が左右方向の他方の端部にのみ設けられているため、第１の係止部及び／又は第２の係止部の左右方向全長に亘って凸部を設ける構成を採用する場合に比べて、前掛眼鏡フレームを着脱する際における眼鏡フレームのブリッジ部が当接する凸部の領域が少なくなり、凸部の接触抵抗が小さくなる結果、着脱が容易となる。
【００１８】
以上のように、本考案に係る前掛眼鏡フレームも、磁力を用いることなく眼鏡フレームに容易且つ確実に取り付け可能であると共に、取り外しも容易であるという優れた利点を有する。
【００１９】
好ましくは、実用新案登録請求の範囲の請求項３に記載の如く、前記前掛眼鏡フレームの左右方向両端部の後面に、前記眼鏡フレームの左右方向両端部の前面の形状に対応する凹溝が設けられる。
【００２０】
斯かる好ましい構成によれば、前掛眼鏡フレームの左右方向両端部の後面に、眼鏡フレームの左右方向両端部前面の形状に対応する凹溝が設けられているため、前掛眼鏡フレームを眼鏡フレームに取り付けた際に、前記凹溝に眼鏡フレームの左右方向両端部前面が係合することになり、より一層確実に前掛眼鏡フレームを眼鏡フレームに取り付けることが可能である。
【００２１】
なお、本考案は、実用新案登録請求の範囲の請求項４に記載の如く、請求項１から３の何れかに記載の前掛眼鏡フレームと、前記眼鏡フレームとを備えることを特徴とする眼鏡セットとしても提供される。
【考案の効果】
【００２２】
本考案に係る前掛眼鏡フレームは、磁力を用いることなく眼鏡フレームに容易且つ確実に取り付け可能であると共に、取り外しも容易である。そして、磁力を用いる必要がないため、使用者が常時使用している眼鏡フレームの種類によらず着脱可能であり、製造コストも低減することができるという優れた利点を有する。
【考案を実施するための最良の形態】
【００２３】
以下、添付図面を参照しつつ、本考案の一実施形態について説明する。図１は、本考案の一実施形態に係る前掛眼鏡フレームの概略構成を示す図であり、図１（ａ）は前掛眼鏡フレームを眼鏡フレームに取り付けた状態を示す平面図を、図１（ｂ）は、前掛眼鏡フレームを眼鏡フレームから取り外した状態を示す平面図（眼鏡フレームのテンプルについては一部図示を省略）を示す。また、図２は、本実施形態に係る前掛眼鏡フレームの一部を拡大して示す図であり、図２（ａ）は図１（ａ）のＡＡ断面拡大図を、図２（ｂ）は図１（ａ）のＢＢ断面拡大図を、図２（ｃ）は図１（ｂ）のＣＣ断面拡大図を、図２（ｄ）は図１（ｂ）の矢符Ｄの方向から見た拡大図を、図２（ｅ）は前掛眼鏡フレームを眼鏡フレームに取り付ける際における図２（ｃ）に示す状態から図２（ｂ）に示す状態への遷移過程を示す断面拡大図を、図２（ｆ）は図１（ａ）のＥＥ断面拡大図を示す。
【００２４】
図１又は図２に示すように、本実施形態に係る前掛眼鏡フレーム１は、テンプルを具備せず、テンプル２１を具備する眼鏡フレーム２の前面に重ね合わせて着脱自在に取り付けられるように構成されている。
【００２５】
前掛眼鏡フレーム１を構成するブリッジ部１１は、眼鏡フレーム２のブリッジ部２２前面の形状に対応し、ブリッジ部１１前面が嵌め込まれる凹溝１１１ａが後面に形成されたブリッジ部本体１１１と、ブリッジ部本体１１１の凹溝１１１ａの上端から後方に向けて延設された第１の係止部１１２と、第１の係止部１１２と略同等の長さを有し、ブリッジ部本体１１１の凹溝１１１ａの下端から後方に向けて延設された第２の係止部１１３とを備えている。
【００２６】
第１の係止部１１２及び第２の係止部１１３の少なくとも何れか一方（本実施形態では双方）は、上下方向に撓むことが可能な可撓性部材（可撓性を有する樹脂材料や金属材料の他、可撓性を有するものであれば、いずれの材料を採用してもよい）から形成されている。そして、第１の係止部１１２は後端部の左右方向両端部に下方向に突出する凸部を具備し、及び／又は、第２の係止部１１３は後端部の左右方向両端部に上方向に突出する凸部を具備する。本実施形態では、第１の係止部１１２が凸部１１２ａを具備すると共に、第２の係止部１１３が凸部１１３ａを具備する構成とされている。
【００２７】
第１の係止部１１２及び第２の係止部１１３に付勢力が作用していない状態において、第１の係止部１１２の後端部と第２の係止部１１３の後端部との左右方向両端部における上下方向の間隔Ｈ１は、眼鏡フレーム２のブリッジ部２２の上下方向の厚みＨよりも小さく設定されている。一方、第１の係止部１１２の前端部と第２の係止部１１３の前端部との上下方向の間隔Ｈ２（図２（ｃ））と、第１の係止部１１２の後端部と第２の係止部１１３の後端部との左右方向中央部における上下方向の間隔Ｈ２（図２（ｄ））とは略等しく、それぞれ眼鏡フレーム２のブリッジ部２２の上下方向の厚みＨと略同等に設定されている。また、第１の係止部１１２の前端部又は第２の係止部１１３の前端部の長さと凹溝１１１ａの深さとの和Ｔ１は、眼鏡フレーム２のブリッジ部２２の前後方向の厚みＴと略同等に設定されている。
【００２８】
以上の構成により、ブリッジ部１１を備えた前掛眼鏡フレーム１を眼鏡フレーム２に取り付けた状態においては、眼鏡フレーム２のブリッジ部２２前面２２ａが前掛眼鏡フレーム１のブリッジ部本体１１１の凹溝１１１ａに嵌め込まれ、眼鏡フレーム２のブリッジ部２２上下面が第１の係止部１１２と第２の係止部１１３との間で挟持されることになる。従って、前掛眼鏡フレーム１のブリッジ部１１の上下方向及び後方への動きが、眼鏡フレーム２のブリッジ部２２によって規制されることになり、前掛眼鏡フレーム１を眼鏡フレーム２に確実に取り付けることが可能である。
【００２９】
本実施形態に係る前掛眼鏡フレーム１を眼鏡フレーム２に取り付ける際には、前掛眼鏡フレーム１の第１の係止部１１２と第２の係止部１１３との隙間を眼鏡フレーム２のブリッジ部２２の前方に配設した後、前掛眼鏡フレーム１を後方（図２（ｅ）の矢符の方向）へ移動させるか、或いは、眼鏡フレーム２を前方へ移動させれば良い。これにより、眼鏡フレーム２のブリッジ部２２が前掛眼鏡フレーム１の第１の係止部１１２の凸部１１２ａ及び第２の係止部１１３の凸部１１３ａに当接し、第１の係止部１１２及び第２の係止部１１３の双方の後端部が、互いに離間する方向（図２（ｅ）の白抜き矢符の方向）に撓む（図２（ｅ）の破線で示す状態から実線で示す状態に遷移する）ため、第１の係止部１１２の後端部と第２の係止部１１３の後端部との上下方向の間隔が拡がり、当該間隔を有する隙間を眼鏡フレーム２のブリッジ部２２が通過することになる。そして、眼鏡フレーム２のブリッジ部２２が前記隙間を通過した後には、第１の係止部１１２及び第２の係止部１１３の双方が元の状態（付勢力が作用していない状態）に戻り、第１の係止部１１２の後端部と第２の係止部１１３の後端部との左右方向両端部における上下方向の間隔Ｈ１が眼鏡フレーム２のブリッジ部２２の上下方向の厚みＨよりも小さくなるため、当該間隔を有する隙間から眼鏡フレーム２のブリッジ部２２が抜け難くなる。
【００３０】
一方、前掛眼鏡フレーム１を眼鏡フレーム２から取り外す際には、前掛眼鏡フレーム１を前方へ移動させるか、或いは、眼鏡フレーム２を後方へ移動させることにより、眼鏡フレーム２のブリッジ部２２前面が前掛眼鏡フレーム１のブリッジ部本体１１１の凹溝１１１ａから抜けると共に、眼鏡フレーム２のブリッジ部２２が前掛眼鏡フレーム１の第１の係止部１１２の凸部１１２ａ及び第２の係止部１１３の凸部１１３ａに当接し、第１の係止部１１２及び第２の係止部１１３の双方の後端部が撓むため、第１の係止部１１２の後端部と第２の係止部１１３の後端部との上下方向の間隔が拡がり、当該間隔を有する隙間から眼鏡フレーム２のブリッジ部２２が抜けることになる。
【００３１】
そして、本実施形態に係る前掛眼鏡フレーム１においては、第１の係止部１１２及び第２の係止部１１３に付勢力が作用していない状態において、第１の係止部１１２の後端部と第２の係止部１１３の後端部との左右方向全長に亘って、その上下方向の間隔が眼鏡フレーム２のブリッジ部２２の上下方向の厚みよりも小さく設定されているのではなく、その一部（左右方向両端部）の上下方向の間隔Ｈ１のみがブリッジ部２２の上下方向の厚みＨよりも小さく設定されている。すなわち、第１の係止部１１２の凸部１１２ａ及び第２の係止部１１３の凸部１１３ａがそれぞれ左右方向両端部にのみ設けられているため、第１の係止部１１２及び／又は第２の係止部１１３の左右方向全長に亘って凸部を設ける構成を採用する場合に比べて、前掛眼鏡フレーム１を着脱する際における眼鏡フレーム２のブリッジ部２２が当接する凸部の領域が少なくなり、凸部の接触抵抗が小さくなる結果、着脱が容易となる。
【００３２】
従って、本実施形態に係る前掛眼鏡フレーム１は、磁力を用いることなく眼鏡フレーム２に容易且つ確実に取り付け可能であると共に、取り外しも容易であるという優れた利点を有する。
【００３３】
また、本実施形態に係る前掛眼鏡フレーム１は、好ましい構成として、前掛眼鏡フレーム１の左右方向両端部の後面に、眼鏡フレーム２の左右方向両端部の前面の形状に対応する凹溝１２が設けられている。
【００３４】
斯かる好ましい構成により、前掛眼鏡フレーム１を眼鏡フレーム２に取り付けた際に、凹溝１２に眼鏡フレーム２の左右方向両端部前面が係合（図２（ｆ）参照）することになり、より一層確実に前掛眼鏡フレーム１を眼鏡フレーム２に取り付けることが可能である。
【００３５】
なお、本実施形態では、ブリッジ部１１が備える第１の係止部１１２及び第２の係止部１１３のみが可撓性部材からなる構成について説明したが、本考案はこれに限るものではなく、ブリッジ部本体１１１をも可撓性部材から構成し、ブリッジ部本体１１１と、第１の係止部１１２及び／又は第２の係止部１１３とを一体的に成形することも可能である。
【００３６】
また、本実施形態では、ブリッジ部１１の第１の係止部１１２が後端部の左右方向両端部に下方向に突出する凸部１１２ａを具備し、第２の係止部１１３が後端部の左右方向両端部に上方向に突出する凸部１１３ａを具備する構成について説明したが、本考案はこれに限るものではなく、図３に示すように、第１の係止部１１２が後端部の左右方向両端部の内何れか一方の端部に下方向に突出する第１の凸部１１２ａ’を具備すると共に、第２の係止部１１３が後端部の左右方向両端部の内何れか他方の端部に上方向に突出する第２の凸部１１３ａ’を具備する構成のブリッジ部１１’を採用することも可能である。そして、第１の係止部１１２及び第２の係止部１１３に付勢力が作用していない状態において、第１の係止部１１２の後端部と第２の係止部１１３の後端部との左右方向両端部における上下方向の間隔Ｈ１’を、眼鏡フレーム２のブリッジ部２２の上下方向の厚みＨ（図２（ａ）参照）よりも小さく設定することにより、前述したブリッジ部１１と同様の作用効果を奏することが可能である。
【００３７】
さらに、本考案に係る前掛眼鏡フレーム１としては、必ずしもフルリムタイプのフレームに限るものではなく、上半分又は下半分にのみリムが設けられたハーフリムタイプのフレームとすることも可能である。
【図面の簡単な説明】
【００３８】
【図１】図１は、本考案の一実施形態に係る前掛眼鏡フレームの概略構成を示す図である。
【図２】図２は、本考案の一実施形態に係る前掛眼鏡フレームの一部を拡大して示す図である。
【図３】図３は、本考案の他の実施形態に係る前掛眼鏡フレームのブリッジ部を後方から見た拡大図である。
【符号の説明】
【００３９】
１・・・前掛眼鏡フレーム
１１・・・ブリッジ部
１１１・・・ブリッジ部本体
１１１ａ・・・凹溝
１１２・・・第１の係止部
１１３・・・第２の係止部
２・・・眼鏡フレーム
２１・・・テンプル
【図１】
0003116935.tif 000003
【図２】
0003116935.tif 000004
【図３】
0003116935.tif 000005